(57)【要約】【課題】左側板と右側板との間における左右方向の隙間を収容する機器に合うように大きくする。【解決手段】左側板３には天板２と底板５と背板６とに固定する肉厚部８；９；１０と天板２と底板５と背板６とに固定しない肉薄部１２；１３が設けられ、右側板４には天板２と底板５と背板６とに固定する肉厚部１４；１５；１６と天板２と底板５と背板６とに固定しない肉薄部１８；１９が設けられたことにより、左側板３と天板２と底板５と背板６とを互いに適切に固定すると共に、右側板４と天板２と底板５と背板６とを互いに適切に固定することができ、左側板３の肉薄部１２；１３と右側板４の肉薄部１８；１９との間における左右方向の隙間を前後方向に渡り広くすることができる。【選択図】図１
2013153811.tif 000002
【特許請求の範囲】
【請求項１】
左側板と右側板と天板と底板と背板とが互いに固定されて前方に開放されかつ左右上下後の囲まれた方形な内部空間を構成する遊技機用容器であって、左側板と右側板との両方又は一方が天板と底板と背板とに固定される肉厚部と天板と底板と背板とに固定されない肉薄部とを備えたことを特徴とする遊技機用容器。
【請求項２】
左側板と右側板と天板と底板とが互いに固定されて前後方向に開放された方形な空間を構成する遊技機用容器であって、左側板と右側板との両方又は一方が天板と底板と固定される肉厚部と後部の肉厚部と天板とに固定されない肉薄部とを備えたことを特徴とする遊技機用容器。
【請求項３】
左側板と右側板と天板と底板とに渡りフレームを設けたことを特徴とする請求項１又は請求項２記載の遊技機用容器。
【発明の詳細な説明】
【技術分野】
【０００１】
本発明は、スロットマシン又はパチンコ機のような遊技機に用いられる遊技機用容器に関する。
【背景技術】
【０００２】
スロットマシンに用いられる遊技機用容器としての筐体は、多数の遊技機用容器が互いに隙間なく隣り合うように横に並べられて遊技店の島と呼ばれる遊技機設置構造体に設置されることから外形を大きくすることができないが、遊技機用容器の内部に収容する機器が増加する傾向にある。このようなことから、特許文献１で開示されたスロットマシンの筐体のように、左側板と右側板と天板と底板と背板とを多数のリブを格子状に有するように合成樹脂により構成することが提案されている。しかしながら、左右の側板の前部では内側に多数のリブを前後方向に直線状に延びる造形に形成し、左右の側板の後部では外側に多数のリブを格子状に形成した構造であるので、樹脂成形に用いられる型が複雑となるばかりでなく、左側板と右側板とが互いに対向する間の隙間が前側だけを大きくすることはできるのもの後側を大きくすることはできなという欠点がある。
【先行技術文献】
【特許文献】
【０００３】
【特許文献１】特開２００３−２１０１０８６８号公報
【発明の概要】
【発明が解決しようとする課題】
【０００４】
本発明は、上記背景技術に鑑みてなされたものであり、左側板と右側板との間の左右方向の隙間を収容する機器に合うように大きくすることを目的とする。
【課題を解決するための手段】
【０００５】
本発明は、左側板と右側板と天板と底板と背板とが互いに固定されて前方に開放されかつ左右上下後の囲まれた方形な内部空間を構成する遊技機用容器であって、左側板と右側板との両方又は一方が天板と底板と背板とに固定される肉厚部と天板と底板と背板とに固定されない肉薄部とを備えたことを特徴とするか、又は、左側板と右側板と天板と底板とが互いに固定されて前後方向に開放された方形な空間を構成する遊技機用容器であって、左側板と右側板との両方又は一方が天板と底板と固定される肉厚部と後部の肉厚部と天板と底板とに固定されない肉薄部とを備えたことを特徴とする。
【発明の効果】
【０００６】
本発明は、左側板と右側板との両方又は一方が天板と底板と背板とに固定される肉厚部と天板と底板と背板とに固定されない肉薄部とを備えるか、又は、左側板と右側板との両方又は一方が天板と底板と固定される肉厚部と後部の肉厚部と天板と底板とに固定されない肉薄部とを備えたから、左側板と右側板と天板と底板と背板とを互いに適切に固定することができるか又は左側板と右側板と天板と底板とを互いに適切に固定することができ、左側板の肉薄部と右側板との間における左右方向の隙間又は左側板と右側板の肉薄部との間における左右方向の隙間を前後方向に渡り広くすることができるという効果を奏する。本発明では、左側板と右側板と天板と底板とに渡りフレームを設ければ、遊技機用容器の形状維持性能が向上するという効果を奏する。
【図面の簡単な説明】
【０００７】
【図１】実施の形態１に係るスロットマシンの筐体を示す斜視図。
【図２】実施の形態２に係るスロットマシンの筐体とフレームとを示す分解斜視図。
【図３】実施の形態３に係るスロットマシンの筐体とフレームとを示す分解斜視図。
【図４】実施の形態４に係るスロットマシンの筐体とフレームとを示す分解斜視図。
【図５】実施の形態５に係るスロットマシンのフレーム付きの筐体を示す斜視図。
【図６】実施の形態６に係るパチンコ機の外枠を示す斜視図。
【発明を実施するための形態】
【０００８】
本明細書において、「前」、「後」、「左」、「右」、「上」、「下」の方向は、図１の状態に遊技機用容器を置いて矢印Ｓで示す前側から見た場合に特定される方向である。
【０００９】
図１を参照し、実施の形態１に係る遊技機用容器としてスロットマシンの筐体１を例示して説明する。筐体１では、天板２の左端部と左側板３の上端部とが互いに固定され、天板２の右端部と右側板４の上端部とが互いに固定され、底板５の左端部と左側板３の下端部とが互いに固定され、底板５の右端部と右側板４の下端部とが互いに固定され、背板６の周縁部が天板２の後部と左側板３の後部と右側板４の後部と底板５の後部とに固定されたことにより、前方に開放されかつ左右上下後の囲まれた方形な内部空間７が構成される。左側板３及び右側板４は、左右対称形であり、下面と後面とが互いに直交し、上面と後面とが互いに直交し、前面が下方から上方に行くに従って徐々に後方に傾斜する後傾状になった形状である。天板２は、左右方向の寸法が底板５と同じであるが、底板５よりも前後方向の寸法が小さな方形である。
【００１０】
左側板３は、肉厚部８；９；１０；１１と肉薄部１２；１３とを備える。肉厚部８乃至１１は肉薄部１２；１３よりも左右方向の寸法である板厚が厚い部分を言い、肉薄部１２；１３は肉厚部８乃至１１よりも左右方向の寸法である板厚が薄い部分を言う。肉厚部８乃至１０は、天板２と底板５と背板６とに固定される部分である。肉厚部１１は、天板２と底板５と背板６とに固定されない部分であるが、肉厚部８；１０の間に位置して、モータ駆動による回胴式の図柄表示装置を載せる部材を構成する。肉薄部１２は、肉厚部８；９；１１で縁取りされるように、左側板３の右側面から左側内部に窪みかつ前方に開口した凹部を造形する。肉薄部１３は、肉厚部９；１０；１１で縁取りされるように、左側板３の右側面から左側内部に窪みかつ前方に開口した凹部を造形する。
【００１１】
左側板３としては、例えば、肉厚部８乃至１１の左右方向の寸法と同じ板厚を有する板状の木材から、下面と後面とが互いに直交すると共に上面と後面とが互いに直交しかつ前面が下方から上方に行くに従って徐々に後方に傾斜する後傾状になった形状の板材を形成し、この形成された板材から肉厚部８乃至１１を残すように左側板３の右側面から左側内部に窪みかつ前方に開口した造形の肉薄部１２；１３を削り出すようにするか、又は、肉薄部１２；１３の左右方向の寸法と同じ板厚を有する板状の木材から、下面と後面とが互いに直交すると共に上面と後面とが互いに直交しかつ前面が下方から上方に行くに従って徐々に後方に傾斜する後傾状になった形状の板材を形成し、この形成された板材に肉厚部８乃至１１を形成する棒状の板材を接着材で接合することにより、製造することが考えられる。
【００１２】
右側板４は、肉厚部１４；１５；１６；１７と肉薄部１８；１９とを備える。肉厚部１４乃至１７は肉薄部１８；１９よりも左右方向の寸法である板厚が厚い部分を言い、肉薄部１８；１９は肉厚部１４乃至１７よりも左右方向の寸法である板厚が薄い部分を言う。肉厚部１４乃至１６は、天板２と底板５と背板６とに固定される部分である。肉厚部１７は、天板２と底板５と背板６とに固定されない部分であるが、肉厚部１４；１６の間に位置して、モータ駆動による回胴式の図柄表示装置を載せる部材を構成する。肉薄部１９は、肉厚部１４；１５；１７で縁取りされるように、右側板４の左側面から右側内部に窪みかつ前方に開口した凹部を造形する。肉薄部１９は、肉厚部１５乃至１７で縁取りされるように、右側板４の左側面から右側内部に窪みかつ前方に開口した凹部を造形する。
【００１３】
右側板４としては、例えば、肉厚部１４乃至１７の左右方向の寸法と同じ板厚を有する板状の木材から、下面と後面とが互いに直交すると共に上面と後面とが互いに直交しかつ前面が下方から上方に行くに従って徐々に後方に傾斜する後傾状になった形状の板材を形成し、この形成された板材から肉厚部１４乃至１７を残すように右側板４の右側面から左側内部に窪みかつ前方に開口した造形の肉薄部１８；１９を削り出すようにするか、又は、肉薄部１８；１９の左右方向の寸法と同じ板厚を有する板状の木材から、下面と後面とが互いに直交すると共に上面と後面とが互いに直交しかつ前面が下方から上方に行くに従って徐々に後方に傾斜する後傾状になった形状の板材を形成し、この形成された板材に肉厚部１４乃至１７を形成する棒状の板材を接着材で接合することにより、製造することが考えられる。
【００１４】
図１に示すように、実施の形態１に係る筐体１では、左側板３が天板２と底板５と背板６とに固定される部分として肉厚部８乃至１０を備えているので、左側板３と天板２と底板５と背板６とを互いに適切に固定することができる。又、右側板４が天板２と底板５と背板６とに固定される部分として肉厚部１４乃至１６を備えているので、右側板４と天板２と底板５と背板６とを互いに適切に固定することができる。又、左側板３が肉薄部１２；１３を備え、右側板４が肉薄部１８；１９を備えているので、肉薄部１２；１８の左右に相対峙する間隔及び肉薄部１３；１９の左右に相対峙する間隔が前後方向に渡り広くなり、筐体１の内部に多くの機器を収容することができる。
【００１５】
尚、図１では、左側板３と右側板４との両方に肉厚部８乃至１１；１４乃至１７と肉薄部１２；１３；１８；１９を設けた場合を例示したが、左側板３と右側板４との一方に肉厚部８乃至１１又は肉厚部１４乃至１７と肉薄部１２；１３又は肉薄部１８；１９とを設けてもてよい。又、肉薄部１２；１３又は肉薄部１８；１９のいずれか一方を設けてもよい。又、肉厚部１１；１７を設けなくてもよい。又、肉薄部１２；１３の何れか一方を設けて他方を設けなくてもよい。又、肉薄部１８；１９の何れか一方を設けて他方を設けなくてもよい。又、肉薄部１２；１３；１８；１９の個数は、上下の２個に限定されるものではなく、１個又は３個以上でもよい。即ち、左側板３と右側板４とには、天板２と底板５と背板６とに固定する部分が肉厚部８乃至１０；１４乃至１６となっていればよい。
【００１６】
図２を参照し、実施の形態２に係る遊技機用容器としてスロットマシンの筐体１を例示して説明する。筐体１は金属製の左右に分割されたフレーム３１；４１を装着する構造になっている。筐体１のフレーム３１を装着する構造として左側板３に設けられた溝２１は、縦溝２２と上横溝２３と下横溝２４と備える。縦溝２２は、左側板３の肉厚部８；１０；１１と肉薄部１２；１３とに渡る前面から後側内部に窪む上下方向に長い造形である。上横溝２３は、縦溝２２の上部から右側に直角に曲がるように肉厚部８の上部の前面から後側内部に窪む造形である。下横溝２４は、縦溝２２の下部から右側に直角に曲がるように肉厚部１０の下部の前面から後側内部に窪む造形である。左側板３の縦溝２２よりも右側の部分には、フレームの脱落を防止するための貫通孔２５が設けられる。
【００１７】
筐体１のフレーム４１を装着する構造として右側板４に設けられた溝２６は、縦溝２７と上横溝２８と下横溝２９とを備える。縦溝２７は、右側板４の肉厚部１４；１６；１７と肉薄部１８；１９とに渡る前面から後側内部に窪む上下方向に長い造形である。上横溝２８は、縦溝２７の上部から右側に直角に曲がるように肉厚部１４の上部の前面から後側内部に窪む造形である。下横溝２９は、縦溝２７の下部から右側に直角に曲がるように肉厚部１６の下部の前面から後側内部に窪む造形である。右側板４の縦溝２７よりも左側の部分には、フレームの脱落を防止するための貫通孔３０が設けられる。
【００１８】
フレーム３１は、主片部３２と上片部３３と下片部３４と前片部３５とを備える。主片部３２は、上下方向に延びる縦長な帯板材の左右の板面を左右の方向に向けた造形である。上片部３３は、主片部３２の上端部が右側に直角に折り曲げられかつ左右方向に延びる横長な帯板材の上下の板面を上下の方向に向けた造形である。下片部３４は、主片部３２の下端部が右側に直角に折り曲げられかつ左右方向に延びる横長な帯板材の上下の板面を上下の方向に向けた造形である。前片部３５は、主片部３２の前部が左側に曲げられかつ上下方向に延びる縦長な帯板材の前後の板面を前後の方向に向けた造形である。主片部３２には、取付孔としてのねじ孔３６が設けられる。上片部３３と下片部３４とには、取付孔としての貫通孔３７；３８が個別に設けられる。
【００１９】
フレーム４１は、主片部４２と上片部４３と下片部４４と前片部４５とを備える。主片部４２は、上下方向に延びる縦長な帯板材の左右の板面を左右の方向に向けた造形である。上片部４３は、主片部４２の上端部が左側に直角に折り曲げられかつ左右方向に延びる横長な帯板材の上下の板面を上下の方向に向けた造形である。下片部４４は、主片部４２の下端部が左側に直角に折り曲げられかつ左右方向に延びる横長な帯板材の上下の板面を上下の方向に向けた造形である。前片部４５は、主片部４２の前部が右側に曲げられかつ上下方向に延びる縦長な帯板材の前後の板面を前後の方向に向けた造形である。主片部４２には、取付孔としてのねじ孔４６が設けられる。上片部４３と下片部４４とには、取付孔としての貫通孔４７；４９が個別に設けられる。
【００２０】
フレーム３１；４１が筐体１に取り付けられる場合について説明する。フレーム３１の主片部３２と上片部３３と下片部３４とが筐体１の前方から縦溝２２と上横溝２３と下横溝２４に個別に挿入され、ねじ孔３６が左側板３の貫通孔２５に対向して繋がり、上片部３３の上面が天板２の下面に接触し、貫通孔３７が肉厚部８よりも右側に位置して天板２に対向し、下片部３４の下面が底板５の上面に接触し、貫通孔３８が肉厚部１０よりも右側に位置して底板５に対向し、前片部３５が左側板３の縦溝２２よりも左側の部分の前面を接触して被覆する。このようにフレーム３１が筐体１に装着された後、ビスのような頭付ねじ部材５１が貫通孔２５からねじ孔３６に装着され、木ねじのような頭付ねじ部材５２が貫通孔３７から天板２に装着され、木ねじのような頭付ねじ部材５３が貫通孔３８から底板５に装着されることにより、フレーム３１が筐体１に固定されて脱落しないように取り付けられる。
【００２１】
フレーム４１が筐体１に取り付けられる場合について説明すると、フレーム４１の主片部４２と上片部４３と下片部４４とが筐体１の前方から縦溝２と上横溝２８と下横溝２９とに個別に挿入され、ねじ孔４６が右側板４の貫通孔３０に対向して繋がり、上片部４３の上面が天板２の下面に接触し、貫通孔４７が肉厚部１４よりも左側に位置して天板２に対向し、下片部４４の下面が底板５の上面に接触し、貫通孔４８が肉厚部１６よりも左側に位置して底板５に対向し、前片部４５が右側板４の縦溝２７よりも右側の部分の前面を接触して被覆する。このようにフレーム４１が筐体１に装着された後、ビスのような頭付ねじ部材５４が貫通孔３０からねじ孔４６に装着され、木ねじのような頭付ねじ部材５５が貫通孔４７から天板２に装着され、木ねじのような頭付ねじ部材５６が貫通孔４８から底板５に装着されることにより、フレーム４１が筐体１に固定されて脱落しないように取り付けられる。
【００２２】
図２に示す実施の形態１よりも構造が複雑になるものの、上片部３３から上方に図外の前片部を折り曲げて設けたり、下片部３４から下方に図外の前片部を折り曲げて設けたり、これら図外の前片部を前片部３５に接合したり、上片部４３から上方に図外の前片部を折り曲げて設けたり、下片部４４から下方に図外の前片部を折り曲げて設けたり、これら図外の前片部を前片部４５に接合したりしてもよい。又、前片部３５又は前片部４５を主片部３２又は主片部４２から左右両側に突出するように設けてもよい。又、上横溝２３を肉厚部８に設けることなく天板２に設けてもよく、下横溝２４を肉厚部１０に設けることなく底板５に設けてもよく、上横溝２８を肉厚部１４に設けることなく天板２に設けてもよく、下横溝２９を肉厚部１６に設けることなく底板５に設けてもよい。このように上横溝２３又は上横溝２８を天板２に設けたり、下横溝２４又は下横溝２９を底板５に設けたりした場合でも、図外の前片部を上片部３３又は上片部４３又は下片部３４又は下片部４４から上下両側に突出するように設けてもよい。
【００２３】
図３を参照し、実施の形態３に係る遊技機用容器としてスロットマシンの筐体１を例示して説明する。筐体１に金属製の一体になったフレーム５８を装着する構造になっている。筐体１のフレーム５８を装着する構造は、図２に示した実施の形態２と同じであるが、フレーム５８の造形が図２に示した実施の形態２と異なる。例えば、フレーム５８は、図２に示すフレーム３１の上片部３３を右側に延長すると共にフレーム４１の上片部４３を左側に延長してそれら延長された部分を互いに結合する一方、フレーム３１の下片部３４を右側に延長すると共にフレーム４１の下片部４４を左側に延長してそれら延長された部分を互いに結合するというように、フレーム３１とフレーム４１とを一体に構成した形である。
【００２４】
具体的には、図３に示すように、フレーム５８は、主片部５９と前片部３５；４５を備える。主片部５９は、帯板材を折り曲げて前後方向に貫通する方形な空間を囲む前面視方形な造形である。主片部５９の左側部分と右側部分とには、取付孔としてのねじ孔３６；４６が個別に設けられる。主片部５９の上側部分と下側部分とには、貫通孔３７；３８；４７；４８が個別に設けられる。尚、主片部５９の左側部分は図２に示す主片部３２に相当し、主片部５９の右側部分は図２に示す主片部４２に相当し、主片部５９の上側部分は図２に示す上片部３３；４３に相当し、主片部５９の下側部分は図２に示す下片部３４；４４に相当する。前片部３５は、主片部５９の左側部分の前部から左側に直角に折り曲げられた造形である。前片部４５は、主片部５９の右側部分の前部から右側に直角に折り曲げられた造形である。
【００２５】
フレーム５８が筐体１に取り付けられる場合について説明すると、主片部５９が筐体１の前方から溝２１；２６に挿入され、ねじ孔３６が左側板３の貫通孔２５に対向して繋がり、ねじ孔４６が右側板４の貫通孔３０に対向して繋がり、主片部５９の上側部分の上面が天板２の下面に接触し、貫通孔３７が肉厚部８よりも右側に位置して天板２に対向し、貫通孔４７が肉厚部１４よりも左側に位置して天板２に対向し、主片部５９の下側部分の下面が底板５の上面に接触し、貫通孔３８が肉厚部１０よりも右側に位置して底板５に対向し、貫通孔４８が肉厚部１６よりも左側に位置して底板５に対向し、前片部３５が左側板３の縦溝２２よりも左側の部分の前面を接触して被覆し、前片部４５が右側板４の縦溝２７よりも右側の部分の前面を接触して被覆する。このようにフレーム５８が筐体１に装着された後、頭付ねじ部材５１が貫通孔２５からねじ孔３６に装着され、頭付ねじ部材５２が貫通孔３７から天板２に装着され、頭付ねじ部材５３が貫通孔３８から底板５に装着され、頭付ねじ部材５４が貫通孔３０からねじ孔４６に装着され、頭付ねじ部材５５が貫通孔４７から天板２に装着され、頭付ねじ部材５６が貫通孔４８から底板５に装着されることにより、フレーム５８が筐体１に固定されて脱落しないように取り付けられる。
【００２６】
図３に示す実施の形態２よりも構造が複雑になるものの、主片部５９の上側部分から上方に図外の前片部を折り曲げて設けたり、主片部５９の下側部分から下方に図外の前片部を折り曲げて設けたり、これら図外の前片部を前片部３５又は前片部４５に接合したりしてもよい。又、前片部３５又は前片部４５を主片部５９の左側部分又は右側部部分から左右両側に突出するように設けたてもよい。又、上横溝２３を肉厚部８に設けることなく天板２に設けてもよく、下横溝２４を肉厚部１０に設けることなく底板５に設けてもよく、上横溝２８を肉厚部１４に設けることなく天板２に設けてもよく、下横溝２９を肉厚部１６に設けることなく底板５に設けてもよい。このように上横溝２３又は上横溝２８を天板２に設けたり、下横溝２４又は下横溝２９を底板５に設けたりした場合でも、図外の前片部を主片部５９の上側部分又は下側部分から上下両側に突出するように設けてもよい。
【００２７】
図４を参照し、実施の形態４に係る遊技機用容器としてスロットマシンの筐体１を例示して説明する。筐体１が金属製の４つに分割されたフレーム６１；６２；６３；６４を装着する構造になっている。例えば、フレーム６１は、図２に示すフレーム３１の主片部３２と前片部３５とを上片部３３から下方への寸法を短くなるように切断した造形である。フレーム６２は、図２に示すフレーム４１の主片部４２と前片部４５とを上片部４３から下方への寸法を短くなるように切断した造形である。フレーム６３は、図２に示すフレーム４１の主片部４２と前片部４５とを下片部４４から上方への寸法を短くなるように切断した造形である。フレーム６４は、図２に示すフレーム３１の主片部３２と前片部３５とを下片部３４から上方への寸法を短くなるように切断した造形である。尚、フレーム６１；６３は、例えば、主片部３２と上片部３３との前後方向に直線的に延びる連結部を回転中心としてフレーム６１を右回りに９０度回転して使用するように、同じ形状のものとして構成してもよい。又、フレーム６２；６４は、例えば、主片部４２と上片部４３との前後方向に直線的に延びる連結部を回転中心としてフレーム６２を右回りに９０度回転して使用するように、同じ形状のものとして構成してもよい。
【００２８】
又、筐体１のフレーム６１乃至６４を筐体１の四隅に個別に装着する構造は、次のようになっている。筐体１のフレーム６１を装着する溝６５は、図２に示す縦溝２２の上横溝２３から下方への寸法を短くした造形である。筐体１のフレーム６２を装着する溝６６は、図２に示す縦溝２７の上横溝２８から下方への寸法を短くした造形である。筐体１のフレーム６３を装着する溝６７は、図２に示す縦溝２７の下横溝２９から上方への寸法を短くした造形である。筐体１のフレーム６４を装着する溝６８は、図２に示す縦溝２２の下横溝２４から上方への寸法を短くした造形である。
【００２９】
筐体１のフレーム６１乃至６４が筐体１の四隅に個別に取り付けられる場合について説明する。フレーム６１の主片部３２と上片部３３とが筐体１の前方から縦溝２２と上横溝２３とに個別に挿入され、ねじ孔３６が左側板３の貫通孔２５に対向して繋がり、上片部３３の上面が天板２の下面に接触し、貫通孔３７が肉厚部８よりも右側に位置して天板２に対向し、フレーム６１の前片部３５が左側板３の縦溝２２よりも左側の部分の前面を接触して被覆する。このようにフレーム６１が筐体１の左上隅に装着された後、頭付ねじ部材５１が貫通孔２５からねじ孔３６に装着され、頭付ねじ部材５２が貫通孔３７から天板２に装着されことにより、フレーム６１が筐体１の左上隅に固定されて脱落しないように取り付けられる。
【００３０】
フレーム６２の主片部４２と上片部４３が筐体１の前方から縦溝２７と上横溝２８とに個別に挿入され、上片部４３の上面が天板２の下面に接触し、ねじ孔４６が右側板４の貫通孔３０に対向して繋がり、貫通孔４７が肉厚部１４よりも左側に位置して天板２に対向し、フレーム６２の前片部４５が右側板４の縦溝２７よりも右側の部分の前面を接触して被覆する。このようにフレーム６２が筐体１の右上隅に装着された後、頭付ねじ部材５４が貫通孔３０からねじ孔４６に装着され、頭付ねじ部材５５が貫通孔３７から天板２に装着されことにより、フレーム６２が筐体１の右上隅に固定されて脱落しないように取り付けられる。
【００３１】
フレーム６３の主片部４２と下片部４４が筐体１の前方から縦溝２７と下横溝２９とに個別に挿入され、ねじ孔４６が右側板４の貫通孔３０に対向して繋がり、下片部４４の下面が底板５の上面に接触し、貫通孔４８が肉厚部１６よりも左側に位置して底板５に対向し、フレーム６３の前片部４５が右側板４の縦溝２７よりも右側の部分の前面を接触して被覆する。このようにフレーム６３が筐体１の右下隅に装着された後、ビスのような頭付ねじ部材６９が貫通孔３０からねじ孔４６に装着され、頭付ねじ部材５６が貫通孔４８から底板５に装着されことにより、フレーム６３が筐体１の右下隅に固定されて脱落しないように取り付けられる。
【００３２】
フレーム６４の主片部３２と下片部３４が筐体１の前方から縦溝２２と下横溝２４とに個別に挿入され、ねじ孔３６が左側板３の貫通孔２５に対向して繋がり、下片部３４の下面が底板５の上面に接触し、フレーム６４の前片部３５が左側板３の縦溝２２よりも左側の部分の前面を接触して被覆する。このようにフレーム６４が筐体１の左下隅に装着された後、ビスのような頭付ねじ部材７０が貫通孔２５からねじ孔３６に装着され、頭付ねじ部材５３が貫通孔３８から底板５に装着されことにより、フレーム６４が筐体１の左下隅に固定されて脱落しないように取り付けられる。
【００３３】
上片部３３又は上片部４３から上方に図外の前片部を折り曲げて設けたり、下片部３４又は下片部４４から下方に図外の前片部を折り曲げて設けたり、これら図外の前片部を前片部３５又は前片部４５に接合したりしてもよい。又、前片部３５又は前片部４５を主片部３２又は主片部４２の左右両側に突出するように設けたてもよい。又、上横溝２３を肉厚部８に設けることなく天板２に設けてもよく、下横溝２４を肉厚部１０に設けることなく底板５に設けてもよく、上横溝２８を肉厚部１４に設けることなく天板２に設けてもよく、下横溝２９を肉厚部１６に設けることなく底板５に設けてもよい。このように上横溝２３；２８を天板２に設けたり、下横溝２４；２９を底板５に設けたりした場合でも、図外の前片部を上片部３３又は上片部４３又は下片部３４又は下片部４４から上下両側に突出するように設けてもよい。
【００３４】
図５を参照し、実施の形態５に係る遊技機用容器としてスロットマシンの筐体１について、左右に分割されたフレーム３１；４１を備えた構造を例示して説明する。左側板３の肉薄部１２には、除去部７１が設けられる。除去部７１は、フレーム３１の主片部３２よりも右側部分の一部が除去され、肉薄部１２よりも更に板厚の薄くなった造形である。除去部７１は、肉薄部１２；１３；１８；１９の何れに設けられてもよく、図示のような異形状でも方形状でもよく、又、前面から肉厚部９又は肉厚部１５に繋がる造形でもよい。このように除去部７１が設けられることにより、フレーム３１又はフレーム４１に部材を取り付けることができる。尚、フレーム３１；４１に代替して図３に示すフレーム５８又は図４に示すフレーム６１乃至６４を用いてもよい。
【００３５】
図６を参照し、実施の形態６に係る遊技機用容器としてパチンコ機の外枠８１を例示して説明する。図６に示す外枠８１では、天板８２の左端部と左側板８３の上端部とが互いに固定され、天板８２の右端部と右側板８４の上端部とが互いに固定され、底板８５の左端部と左側板８３の下端部とが互いに固定され、底板８５の右端部と右側板８４の下端部とが互いに固定されことにより、前後方向に開放されかつ左右上下の囲まれた方形な内部空間８６が構成される。天板８２と左側板８３と右側板８４と底板８５とにおける前後方向の寸法が同一の方形になった形状である。又、幕板８７が内部空間８６の前部を塞ぐように左側板８３と右側板８４と底板８５とに固定される。
【００３６】
左側板８３は、肉厚部８８；８９；９０；９１と肉薄部９２；９３とを備える。肉厚部８８乃至９１は肉薄部９２；９３よりも左右方向の寸法としての板厚が厚い部分を言い、肉薄部９２；９３は肉厚部８８乃至９１よりも左右方向の寸法としての板厚が薄い部分を言う。肉厚部８８；９０は、天板８２と底板８５とに個別に固定される部分である。肉厚部８９は、天板８２と底板８５とに固定されない部分であるが、左側板８３の後部に沿って設けられた部材である。肉厚部９１は、肉厚部８８；９０の間に位置して設けられた部材であるが設けられなくてもよい。肉薄部９２は、肉厚部８８；８９；９１で縁取りされるように、左側板８３の右側面から左側内部に窪みかつ前方に開口した凹部を造形する。肉薄部９３は、肉厚部８９乃至９１で縁取りされるように、左側板８３の右側面から左側内部に窪みかつ前方に開口した凹部を造形する。
【００３７】
右側板８４は、肉厚部９４；９５；９６；９７と肉薄部９８；９９とを備える。肉厚部９４乃至９７は肉薄部９８；９９よりも左右方向の寸法としての板厚が厚い部分を言い、肉薄部９８；９９は肉厚部９４乃至９７よりも左右方向の寸法としての板厚が薄い部分を言う。肉厚部９４；９６は、天板８２と底板８５とに固定される部分である。肉厚部９５は、天板８２と底板８５とに固定されない部分であるが、右側板８４の後部に沿って設けられた部材である。肉厚部９７は、肉厚部９４；９６の間に位置して設けられた部材であるが設けられなくてもよい。肉薄部９８は、肉厚部９４；９５；９７で縁取りされるように、右側板８４の左側面から右側内部に窪みかつ前方に開口した凹部を造形する。肉薄部９９は、肉厚部９５乃至９７で縁取りされるように、右側板８４の左側面から右側内部に窪みかつ前方に開口した凹部を造形する。
【００３８】
図６に示すように、実施の形態６に係る外枠８１では、左側板８３が天板８２と底板８５とに固定される部分として肉厚部８８；９０を備えているので、左側板８３と天板８２と底板８５とを互いに適切に固定することができる。又、右側板８４が天板８２と底板８５とに固定される部分として肉厚部９４；９６を備えているので、右側板８４と天板８２と底板８５とを互いに適切に固定することができる。又、左側板８３が肉厚部８９を備えているので、肉厚部８９の設けられていない構造よりも、左側板８３の強度が向上する。又、右側板８４が肉厚部９５を備えているので、肉厚部９５の設けられていない構造よりも、右側板８４の強度が向上する。又、左側板８３が肉薄部９２を備え、右側板８４が肉薄部９８を備えているので、肉薄部９２；９８との間の左右方向の間隔が前後方向に渡り広くなり、外枠８１の内部に多くの機器を収容することができる。又、左側板８３が肉薄部９３を備え、右側板８４が肉薄部９９を備えているので、肉薄部９３；９９との間の左右方向の間隔が前後方向に渡り広くなり、外枠８１の内部に多くの機器を収容することができる。
【００３９】
尚、図６では、左側板８３と右側板８４との両方に肉厚部８８乃至９１；９４乃至９７と肉薄部９２；９３；９８；９９を設けた場合を例示したが、左側板８３と右側板８４との一方に肉厚部８８乃至９１又は肉厚部９４乃至９７と肉薄部９２；９３又は肉薄部９８；９９とを設けてもてよい。又、肉薄部９２；９３又は肉薄部９８；９９のいずれか一方を設けてもよい。又、肉薄部９２；９３；９８；９９の個数は、上下の２個に限定されるものではなく、１個又は３個以上でもよい。即ち、左側板８３と右側板８４とには、天板８２と底板８５とに固定する部分が肉厚部８８；９０；９４；９６となっていればよい。
【００４０】
図６に示す実施の形態６よりも構造が複雑になるものの、外枠８１に図２示すフレーム３１；４１又は図３に示すフレーム５８又は図４に示すフレーム６１乃至６４を取り付けてもよい。又、これらのフレーム３１；４１又はフレーム５８又はフレーム６１乃至６４を取り付けた外枠８１に図５に示す除去部７１を設けてもよい。
【符号の説明】
【００４１】
１は筐体、２は天板、３は左側板、４は右側板、５は底板、６は背板、７は内部空間、８乃至１１は肉厚部、１２；１３は肉薄部、１４乃至１７は肉厚部、１８；１９は肉薄部、２０は欠番、２１は溝、２２は縦溝、２３は上横溝、２４は横溝、２５は貫通孔、２６は溝、２７は縦溝、２８は上横溝、２９は下横溝、３０は貫通孔、３１はフレーム、３２は主片部、３３は上片部、３４は下片部、３５は前片部、３６はねじ孔、３７；３８は貫通孔、３９；４０は欠番、４１はフレーム、４２は主片部、４３は上片部、４４は下片部、４５は前片部、４６はねじ孔、４７；４８は貫通孔、４９；５０は欠番、５１乃至５６は頭付ねじ部材、５７は欠番、５８はフレーム、５９は主片部、６０は欠番、６１乃至６４はフレーム、６５乃至６８は溝、６９；７０は頭付ねじ部材、７１は除去部、７２乃至８０は欠番、８１は外枠、８２は天板、８３は左側板、８４は右側板、８５は底板、８６は内部空間、８７は幕板、８８乃至９１は肉厚部、９２；９３は肉薄部、９４乃至９７は肉厚部、９８；９９は肉薄部。
【図１】
2013153811.tif 000003
【図２】
2013153811.tif 000004
【図３】
2013153811.tif 000005
【図４】
2013153811.tif 000006
【図５】
2013153811.tif 000007
【図６】
2013153811.tif 000008